(57)【要約】【課題】  組み立てが容易となるＬＥＤランプを提供する。【解決手段】  管体１内の背部側に保持手段によって放熱支持体２を保持し、管体１の背部側内周面から保持手段である保持突部１１を突出し、保持突部１１は放熱支持体２に形成してある保持手段である保持溝２２と係合しており、放熱支持体２はその長さ方向にＬＥＤ４を複数配置してある基板３を挿入支持している支持溝２１を設け、支持溝２１の開口２１ａがＬＥＤ４の照射方向に向けて設けられている。【選択図】      図１
2010198927.tif 000002
【特許請求の範囲】
【請求項１】
管体と、この管体内の背部側に配置されかつ保持手段によって係合保持されている放熱支持体と、この放熱支持体に支持されていると共に光源であるＬＥＤを複数配置してある基板とを備えており、
上記基板は、上記放熱支持体に形成している支持溝内に挿入支持されており、
上記ＬＥＤは、上記管体の上記背部側とは反対側である照射側に向けて照射可能である
ことを特徴とするＬＥＤランプ。
【請求項２】
保持手段は、管体内周面から内方に向けて突出してある保持突部と、放熱支持体に設けてある保持溝とから構成されており、上記保持突部と保持溝とは互いに上記管体の長さ方向に移動可能に係合されていることを特徴とする請求項１記載のＬＥＤランプ。
【請求項３】
保持手段は、管体内周面から内方に向けて突出しかつ長さ方向に延伸している保持突部と、放熱支持体にその長さ方向に沿って設けてある保持溝とから構成されており、上記保持突部と保持溝とは互いに上記管体の長さ方向に移動可能に係合されていることを特徴とする請求項１記載のＬＥＤランプ。
【請求項４】
放熱支持体は、管体の背部側の外周面に放熱溝を形成してあることを特徴とする請求項１乃至請求項３のいずれかに記載のＬＥＤランプ。
【請求項５】
放熱支持体は、管体の背部側の外周面が凸状の円弧面を形成していると共に、上記管体の内周面に密着可能であることを特徴とする請求項１乃至請求項４のいずれかに記載のＬＥＤランプ。
【請求項６】
放熱支持体は、管体の背部側の外周面が放熱性膜によって被覆されていることを特徴とする請求項１乃至請求項５のいずれかに記載のＬＥＤランプ。
【請求項７】
管体の背部の外周面には、放熱支持体の背部側の外周面に対向位置関係に帯状の放熱性膜をその長さ方向に沿って形成してあり、上記放熱支持体の外周面が放熱性膜によって被覆されていることを特徴とする請求項１乃至請求項５のいずれかに記載のＬＥＤランプ。
【請求項８】
基板のＬＥＤの取付け面とは反対側の面は、放熱支持体の支持溝の内底面に密着されていると共に放熱性膜によって被覆されていることを特徴とする請求項１乃至請求項７のいずれかに記載のＬＥＤランプ。
【請求項９】
管体の両端に口金を配置してあり、上記口金の外周面に放熱部を形成してあることを特徴とする請求項１乃至請求項８のいずれかに記載のＬＥＤランプ。
【請求項１０】
管体の両端に口金を配置してあり、上記口金の外周面に放熱部を形成してあり、この放熱部は放熱溝で構成されていることを特徴とする請求項１乃至請求項８のいずれかに記載のＬＥＤランプ。
【請求項１１】
管体と、この管体内の背部側に配置されかつ保持手段によって挿入保持されている放熱支持体及び光源であるＬＥＤを複数配置してある基板とを備えており、
上記保持手段は、上記管体の内周面から内方に向けて互いに対向するように突出している板状の保持突部からなり、両保持突部が上記管体の長さ方向に沿って全長に亘って形成されており、上記両保持突部の先端部間に間隙が形成されており、上記両保持突部と上記管体の背部側の内周面との間に収納室が形成されており、
上記収納室内には、上記背部側に放熱支持体が、上記間隙側に基板がそれぞれ移動可能にかつ重ねられた状態で挿入配置されていると共に、上記放熱支持体及び上記基板が上記管体の内周面と上記両保持突部とによって挟まれた状態で保持されており、
上記放熱支持体は、管体の背部側の外周面が凸状の円弧面を形成していると共に、円筒形の管体の内周面に密着されており、
上記ＬＥＤは、上記管体の上記背部側とは反対側である照射側に向けて照射可能である
ことを特徴とするＬＥＤランプ。
【請求項１２】
基板の幅方向の両端部は、管体の内周面に押圧状態に接触していることを特徴とする請求項１１記載のＬＥＤランプ。
【請求項１３】
管体の両端に口金を配置してあり、上記口金の外周面に放熱部を形成してあることを特徴とする請求項１１又は請求項１２に記載のＬＥＤランプ。
【請求項１４】
管体の両端に口金を配置してあり、上記口金の外周面に放熱部を形成してあり、この放熱部は放熱溝で構成されていることを特徴とする請求項１１又は請求項１２に記載のＬＥＤランプ。
【発明の詳細な説明】
【技術分野】
【０００１】
この発明は、事務所、一般住宅、店舗、学校、冷凍庫、看板などに用いられるＬＥＤランプ（発光ダイオード照明灯）に関するものである。
【背景技術】
【０００２】
最近は、白熱電球による照明灯に代えて弾丸型や表面実装型などのＬＥＤ（発光ダイオード）を組み込んでいるＬＥＤランプが使用されている例が多い。これは、このＬＥＤランプは白熱照明灯と比較して長寿命であってかつ消費電力が少ないからである。
ＬＥＤランプは、ＬＥＤ単独では発光量が小さいために、複数のＬＥＤを直線状に単一列又は複数列に配置した状態で用いられている（特開２００１−３５１４０２号公報及び特開２００４−３３５４２６号公報など）。
しかしながら、例えば特開２００４−３３５４２６号公報に記載の蛍光灯兌換型発光ダイオード灯において、棒状合成樹脂外管体内の温度は複数の白色発光ダイオードから発生する熱によって上昇し、温度上昇が白色発光ダイオードの劣化を招く課題がある。
このような温度上昇によるＬＥＤランプの短命化の課題を解決するために、放熱板を有するＬＥＤランプが提案されている（特開２００８−７７９４８号公報及び実用新案登録第３１４５１７４号公報）。
特開２００８−７７９４８号公報に記載の照明灯用灯具（以下「従来例１」という。）は、当該公報の図２に示すように発光体である発光ダイオード３から生じる熱を除く放熱板を兼用している反射板６を備えている。反射板６は略Ｗ字状に形成され、中央山型状の２個の傾斜面６１に、発光ダイオード３を配置した基板５がねじなどの固定手段Ｋによって取り付けられている。
実用新案登録第３１４５１７４号公報に記載の合成樹脂製蛍光灯用ランプシェード（以下「従来例２」という。）は、当該公報の図３に示すようにパイプ状ランプシェード１に設けた切れ込み溝には、ＬＥＤランプ４をセットした基盤３をその下部に取り付けたアルミニウム製放熱板２を嵌合させてあり、この放熱板によってＬＥＤランプ４からの熱を逃がすものである。
【先行技術文献】
【特許文献】
【０００３】
【特許文献１】特開２００１−３５１４０２公報
【特許文献２】特開２００４−３３５４２６号公報
【特許文献３】特開２００８−７７９４８号公報
【特許文献４】実用新案登録第３１４５１７４号公報
【発明の概要】
【発明が解決しようとする課題】
【０００４】
従来例１及び従来例２のいずれも、ＬＥＤから発生される熱を除く（逃す）機能を果たすことができる利点があるものの、従来例１では反射板６と発光ダイオード３を配置した基板５との組み立てが面倒であり、従来例２についても放熱板２とＬＥＤランプ４をセットした基盤３との関係において従来例１と同様の課題がある。
この発明の目的は、組み立てが容易となるＬＥＤランプを提供することにある。
【課題を解決するための手段】
【０００５】
この発明に係る第１のＬＥＤランプは、管体と、この管体内の背部側に配置されかつ保持手段によって係合保持されている放熱支持体と、この放熱支持体に支持されていると共に光源であるＬＥＤを複数配置してある基板とを備えている。上記基板は、上記放熱支持体に形成している支持溝内に挿入支持されている。上記ＬＥＤは、上記管体の上記背部側とは反対側である照射側に向けて照射可能である。上記保持手段として、例えば上記管体内周面から内方に向けて突出してある保持突部と、放熱支持体に設けてある保持溝とから構成されており、上記保持突部と保持溝とは互いに上記管体の長さ方向に移動可能に係合されているものである。
この発明に係る第２のＬＥＤランプは、管体と、この管体内の背部側に配置されかつ保持手段によって挿入保持されている放熱支持体及び光源であるＬＥＤを複数配置してある基板とを備えている。上記保持手段は、上記管体の内周面から内方に向けて互いに対向するように突出している板状の保持突部からなり、両保持突部が上記管体の長さ方向に沿って全長に亘って形成されており、上記両保持突部の先端部間に間隙が形成されており、上記両保持突部と上記管体の背部側の内周面との間に収納室が形成されている。上記収納室内には、上記背部側に放熱支持体が、上記間隙側に基板がそれぞれ移動可能にかつ重ねられた状態で挿入配置されていると共に、上記放熱支持体及び上記基板が上記管体の内周面と上記両保持突部とによって挟まれた状態で保持されている。上記放熱支持体は、管体の背部側の外周面が凸状の円弧面を形成していると共に、円筒形の管体の内周面に密着されている。上記ＬＥＤは、上記管体の上記背部側とは反対側である照射側に向けて照射可能である。
【発明の効果】
【０００６】
この発明のＬＥＤランプによれば、管体内の放熱支持体を保持手段によって係合保持し、上記放熱支持体の支持溝を通じてＬＥＤを取り付けている基板を挿入支持するものであるから組み立てが容易となり、簡単な構成によって上記基板からの熱を放熱支持体を通じて除くことができ、上記収納室が上記管体の背部側に設けられているので、管体の表面にＬＥＤの影がドット状に表れにくくなる。
この発明のＬＥＤランプによれば、管体内の放熱支持体及び基板を保持手段によって挿入保持するものであるから組み立てが容易となり、簡単な構成によって上記基板からの熱を放熱支持体を通じて除くことができ、上記収納室が上記管体の背部側に設けられているので、管体の表面にＬＥＤの影がドット状に表れにくくなる。
【図面の簡単な説明】
【０００７】
【図１】この発明に係るＬＥＤランプの第１の実施形態の側面側の主要部を拡大して示す断面図である。
【図２】この発明に係るＬＥＤランプを示す側面図である。
【図３】図２のＩＩＩ−ＩＩＩ線断面図である。
【図４】この発明に係るＬＥＤランプに用いる管体の保持突部から放熱支持体を分離している状態を示す拡大側面図である。
【図５】この発明に係るＬＥＤランプの主要部を構成している管体、放熱支持体及び基板並びにこれらに設けてある放熱性膜をそれぞれ示す拡大平面図である。
【図６】この発明に係るＬＥＤランプに用いる管体を示す一部切欠正面図である。
【図７】この発明に係るＬＥＤランプに用いる管体を示す側面図である。
【図８】図７のＶＩＩＩ−ＶＩＩＩ線断面図である。
【図９】この発明に係るＬＥＤランプに用いる放熱支持体を拡大して示す斜視図である。
【図１０】図９のＸ−Ｘ線断面図である。
【図１１】この発明に係るＬＥＤランプに用いるＬＥＤ付きの基板を保持している放熱支持体を示す底面図である。
【図１２】この発明に係るＬＥＤランプに用いる口金を示す拡大正面図である。
【図１３】この発明に係るＬＥＤランプの端部側を拡大して示す一部切欠拡大正面図である。
【図１４】この発明に係るＬＥＤランプの第２の実施形態を示す一部切欠正面図である。
【図１５】図１４のＸＶ−ＸＶ線拡大断面図である。
【図１６】この発明に係るＬＥＤランプの主要部を示す一部切欠平面図である。
【図１７】この発明に係るＬＥＤランプの主要部を示す拡大側面図である。
【図１８】図１７のＸＶＩＩＩ−ＸＶＩＩＩ線断面図である。
【図１９】この発明に係るＬＥＤランプに用いる管体を示す側面図である。
【図２０】図１９のＸＸ−ＸＸ線断面図である。
【図２１】図１９のＸＸＩ−ＸＸＩ線断面図である。
【図２２】この発明に係るＬＥＤランプに用いる放熱支持体を拡大して示す斜視図である。
【図２３】図２２のＸＸＩＩＩ−ＸＸＩＩＩ線断面図である。
【図２４】この発明に係るＬＥＤランプの第３の実施形態を示す主要部の拡大側面図である。
【図２５】この発明に係るＬＥＤランプの第４の実施形態を示す主要部の拡大側面図である。
【図２６】図２５に示すＬＥＤランプから放熱支持体を外した状態を示す拡大側面図である。
【図２７】この発明に係るＬＥＤランプに用いる放熱支持体を拡大して示す斜視図である。
【図２８】この発明に係るＬＥＤランプの第５の実施形態を示す一部切欠正面図である。
【図２９】図２８のＸＸＩＸ−ＸＸＩＸ線拡大断面図である。
【図３０】この発明に係るＬＥＤランプに用いるＬＥＤ付きの基板を示す底面図である。
【発明を実施するための形態】
【０００８】
この発明に係るＬＥＤランプの第１の実施形態について図１〜図１３を参照して説明する。
図１〜図５において、ＬＥＤランプＬは、細長い円筒形パイプからなる管体１と、この管体の背部側である底部側（図１上側）の内部に配置し、管体に保持手段によって係合保持されている放熱支持体２と、この放熱支持体の支持溝２１内に挿入かつ離脱可能に支持されている基板３と、この基板に実装してある光源であるＬＥＤ（発光ダイオード）４と、上記管体の両端部に取り付けてある口金５とを備えている。ＬＥＤランプＬのＬＥＤ４は、管体１の背部側とは反対側（図１下側）に向けて光を照射可能である。
【０００９】
図６〜図８に示す管体１はプラスチック製パイプ又はガラス製パイプからなり、本例では蛍光塗料、拡散材及び変色防止材が配合されている乳白色のプラスチック製パイプが使用されている。
管体１は、背部側（図７上側）の内周面１ａから管体の中心部に向けて突出されている保持手段（図７に示す例では保持突部１１）を設けてある。保持突部１１は管体１の長さ方向に沿って延伸され、かつ管体の全長に亘って設けられている。
保持突部１１は、図７に示すように断面逆Ｔ字形に形成され、先端部が両側に張り出されている係止部１１ａとなっている。
図１及び図５において、管体１は、背部側（図１上側）の外周面に所定の設置幅Ｗを有する帯状の放熱性膜１２を形成してある。放熱性膜１２は、管体１の長さ方向に沿って管体の一端から他端まで全長に亘って設けられている。放熱性膜１２は例えばセラミックコート膜であり、管体１内の熱を吸収して管体外へ逃すことによって管体内の熱を下げる役割を果たしている。図５では、放熱性膜１２が点描で図示されている。
管体１は、例えばパイプ押出し機を用いて押出成形法により加工され、その管本体と保持突部１１とが一体成形されている。
【００１０】
図９〜図１１に示す放熱支持体２は、その本体２ａが放熱部材であるアルミニウム材を用いた棒状体で構成され、ヒートシンクの機能を果たしているものである。
放熱支持体２（本体２ａ）には、その背部側（図９上側）とは反対側（下側）にその長さ方向に全長に亘って支持溝２１を、そして背部側の中央部に保持溝２２を、また当該保持溝を挟んで放熱溝２３，２４を全長に亘ってそれぞれ形成してある。
支持溝２１の開口２１ａは下側である照射側（ＬＥＤ４の光の照射方向側）に向けられており、開口の両側縁部に受け部２５を設けてある。
保持溝２２は、図１及び図４に示すように、保持突部１１と共に保持手段を構成している。保持溝２２は断面逆Ｔ字形に形成されている。保持溝２２の内底部側には幅方向に張り出した係合部２２ａが形成されている。
放熱支持体２の上側の外周面の外形は凸状の円弧面を形成している。放熱支持体２の外周面は、管体１の内周面１ａに密着可能である（図１）。
また、放熱支持体２の外周面には、図１及び図５に示すように例えばセラミックコート膜などからなる放熱性膜２６を塗布してある。放熱性膜２６は、放熱支持体２の外周面全面を被覆している。図５では、放熱性膜２６が点描で図示されている。
図１〜図４に示す放熱支持体２は、支持溝２１内においてＬＥＤ４を実装したＬＥＤ付きの基板３を挿入支持可能である。
放熱支持体２は押出し機を用いて押出成形法により加工される。
【００１１】
図１〜図５及び図１１に示すように、ＬＥＤ付きの基板３はその本体が細長い板体からなり、組み立て時に放熱支持体２の支持溝２１内に嵌め込まれる。基板３には、ＬＥＤ４に電気的に接続している制御部（図示せず。）を設けてある。基板３の一側面（図１下面）には単一又は複数列のＬＥＤ４を直線状に間隔を置いて配置し、一端部に保護回路ダイオード６を取り付けてある。図３及び図１１に示す例では、基板３には、複数の白色発光のＬＥＤ４がその長さ方向に沿って等間隔を置いて一直線状に配列され、そして基板の一側片面である表面（図１下面）全面に白色の印刷又は白色シート（図示せず。）の貼付をすることによって、内部反射光の取り出し効率を上げるようにしている。また基板３の裏面（図１上面）の全面には、例えばセラミックコート膜などからなる放熱性膜３１（図１及び図５）を塗布してある。図５では、放熱性膜３１が点描で図示されている。
【００１２】
管体１、放熱支持体２及び基板３の相互の関係について、図１〜図５を参照して説明する。
まず、管体１と放熱支持体２との関係について説明する。
放熱支持体２は管体１内の背部側で係合保持されている。すなわち、管体１内において、管体の保持突部１１が放熱支持体２の保持溝２２内に嵌め込まれ、係止部１１ａ及び係合部２２ａが互いに係合された状態で、管体の長さ方向に移動可能に保持されている。この保持状態において、放熱支持体２の上側の外周面は管体１の内周面１ａに密着されて、放熱支持体の安定的な位置保持が保たれている。
図１及び図３に示す放熱支持体２を管体１に保持するためには、保持突部１１をこの放熱支持体の保持溝２２内に、その一側方（図３左方又は右方）の開口から差し入れてから、他側方に向けてスライドさせる。放熱支持体２は管体１に対してスライド操作を通じて取付け又は取外しが自在である。
ついで、放熱支持体２と基板３との関係について説明する。
ＬＥＤ付きの基板３が放熱支持体２の支持溝２１内に収納されている。すなわち、図１に示すように基板３の本体両側が受け部２５上に載せられた状態で支持され、基板の上面が支持溝２１の内底面に接している。また各ＬＥＤ４はその下部が開口２１ａより下方に露出されているため、光を下方に照射可能である。
図１及び図３に示すＬＥＤ付きの基板３を放熱支持体２に支持するためには、この基板を支持溝２１の一側方（図３左方又は右方）の開口から支持溝内に差し入れてから、他側方に向けてスライドさせる。基板３は、放熱支持体２に対してスライド操作を通じて取付け又は取外しが自在である。
基板３は管体１に対して放熱支持体２を介して取り付けられている。
【００１３】
管体１の放熱性膜１２、放熱支持体２の放熱性膜２６及び基板３の放熱性膜３１の関係について説明する。
図１及び図５に示すように、放熱支持体２の外周面は管体１の内周面１ａに密着されており、外周面に設けてある放熱性膜２６は管体の放熱性膜１２と対向位置関係にある。放熱性膜２６の幅は、全長に亘って図１に示すように管体１を挟んで放熱性膜１２の設置幅Ｗに対応している。さらに、基板３の上面は放熱支持体２の支持溝２１の内底面に密着されており、上面に設けてある放熱性膜３１は管体の放熱性膜１２と対向位置関係にある。
このため、ＬＥＤ４から発生される熱の多くは、基板３に吸収されて放熱性膜２６を経て放熱支持体２に吸収される。そして、放熱性膜３１は管体１を挟んで放熱性膜１２に対向している状態にあるために、放熱支持体２からの放熱が放熱性膜３１から管体１を経て放熱性膜１２へ円滑に逃すことができる。
【００１４】
管体１の両端側（図３左右両側）に配置してある口金５は、放熱部を設けてあり、図１２及び図１３に示す例では、その外周全周に複数の放熱溝５１を設けてある。管体１に吸収された熱は、この管体の端部に嵌め込まれている口金５に伝え、口金の放熱溝５１によって効果的に口金外に放熱される。口金の放熱溝５１の数は単一又は複数も設けられるが、放熱効果を高めるために複数設けるのが良い。
各口金５には端子ピン７をそれぞれ設けてある。各端子ピンは基板３に電気的に接続されている。
【００１５】
上記構成のＬＥＤランプＬにおいて、ＬＥＤ４からの放射光は、その光軸を中心として円錐状（放射状）に広がり、管体１の背部側と反対側の照射面を照射する。この際、ＬＥＤ４を取り付けている基板３は、管体内の背部側に位置している放熱支持体２に支持されているために、ＬＥＤ４の放射角度が広がる。この結果、面発光としての効果が発揮され、管体１の一側の表面へのＬＥＤ４の影がドット状に表れにくくなり、この効果は管体１の色彩が乳白色であることによってより一層発揮されている。
ＬＥＤ４から発生される熱は、基板３から放熱支持体２に吸収され、吸収された熱は放熱支持体から管体１を経て外部に放出されてＬＥＤランプＬ内の高熱化が抑制される。管体１、放熱支持体２及び基板３のそれぞれの放熱性膜１２，２６，３１の存在によって高熱化の抑制がより一層効果的に行われる。このような高熱化抑制効果は、放熱溝５１を有する口金５の存在によってさらに高まる。
【００１６】
管体１は、その材質の一つであるプラスチックとして、例えばポリカーボネートなどが使用される。管体１は、押出し成形法により加工する場合には、図示の例では予め乳白色のポリカーボネートペレット、蛍光塗料ペレット、拡散材ペレット及び変色防止材のそれぞれの配分比率を所定の値に設定しておく。これらの材質の配合比率を適宜変更することによって、ＬＥＤランプＬから照射される光の拡散、透視度及び光源からの照射率量の調整が図られる。
管体１の長さ、内径及び肉厚、そして保持突部１１の突出長及び断面形状、またＬＥＤ付きの基板３の長さ及び横幅、さらに口金５の幅及び放熱溝５１の数はいずれも適宜である。
【００１７】
図示するＬＥＤランプＬによれば、ＬＥＤ４を取り付けている基板３を支持している放熱支持体２は管体１内の背部側（底部側）に配置されているので、光軸を中心として放射状に広がるＬＥＤの光の照射面までの距離が長くなり、この結果、放射エリアが広がり、管体の表面に各ＬＥＤ４の影がドット状に表れにくく、ＬＥＤランプの設置場所やその用途の範囲が広がり、換言すれば、ＬＥＤランプの利用範囲を広げることができる。
また、管体１はポリカーボネート、蛍光塗料、拡散材及び変色防止材を混合配分して乳白色のプラスチックパイプによって構成されているので、光の拡散、透視度及び光源であるＬＥＤ４からの照射率量を調整することができ、管体１の背部側に基板３をその内周面に接近して配置してあることと相俟って管体の表面に各ＬＥＤ４の影がドット状に表れにくくする効果がより良く発揮され、ＬＥＤランプＬを多方面の照明手段として利用することができる。
ＬＥＤランプＬの組み立て時に、管体１に対して放熱支持体２を保持突部１１及び保持溝２２を通じて挿脱可能に係合保持し、管体内に位置保持することができるから、ＬＥＤランプの組み立てや解体が容易である。放熱支持体２の外周面に保持溝２２の他に放熱溝２３，２４を設けているので、放熱支持体の放熱機能を高めることができる。放熱支持体２の外周面を円弧面として管体１の内周面１ａに密着可能とすることにより、放熱支持体の位置保持の安定化と熱を円滑かつ確実に管体側へ逃すことができる。
また、ＬＥＤ付きの基板３を放熱支持体２の支持溝２１内にスライド挿入するだけで、基板の取付け及びその位置保持をすることができるので、放熱支持体と基板３との組立作業が容易であると共に、放熱支持体に対して基板３の離脱が可能であるので解体も容易となる。
管体１の放熱性膜１２、放熱支持体２の放熱性膜２６及び基板３の放熱性膜３１は、図１に示すように、三層状態に配置されているので、上記各放熱性膜を介してＬＥＤ４からの熱を基板３から放熱支持体２へ、さらに放熱支持体から管体１及び口金５へと円滑にかつ確実に放熱されるので、効率的かつ効果的な放熱が可能となる。この効果は、上述したように口金５の放熱溝５１により高められる。
放熱支持体２の外周面に設けてある放熱溝２３，２４を放熱用の他に必要に応じて配線用のスペースとして利用することができる。
【００１８】
この発明に係るＬＥＤランプの第２の実施形態について図１４〜図２３を参照して説明する。
図示するＬＥＤランプＬａは、図１に示すＬＥＤランプＬと比較すると、主要部分における基本構成及び作用効果が共通している。
以下、ＬＥＤランプＬに対してＬＥＤランプＬａが相違する点について主に説明し、共通する点については必要に応じて説明する。
【００１９】
第１の相違点は放熱支持体１０２の保持手段の構成である。すなわち、図１４及び図１５に示すＬＥＤランプＬａにおいて、放熱支持体１０２は、管体１０１内の平板状の保持突部１１１と管体の背部側（図１５上側）の内周面１０１ａとによって挟まれる状態で保持されている。保持突部１１１と管体１０１の内周面１０１ａとが放熱支持体１０２の保持手段を形成している。
図１７〜図２１において、保持突部１１１は、管体１０１内にその背部側の内周面に接近している図１９左右両側に位置し、内方に向けてかつ互いに対向するように管体の内周面から突出されている。対の保持突部１１１は、管体１０１の長さ方向に沿って全長に亘って水平に設けられている。対の保持突部１１１のそれぞれの先端部は、上側に屈曲している押え部１１１ａである。押え部１１１ａの両先端部は互いに間隙１１４を置いて対向位置関係にある。間隙１１４は、図１８に示す例では管体１０１に全長に亘って形成されているスリット状のものである。管体１０１内の背部側の内周面１０１ａと保持突部１１１によって囲まれた空間が収納室１１３となっている。
管体１０１は、例えばパイプ押出し機を用いて押出成形法により加工され、その管本体と保持突部１１１とが一体成形されている。
【００２０】
第２の相違点は、図１４及び図１５に示すように、放熱支持体１０２には、これを管体１０１に保持するための手段（図１に示すＬＥＤランプＬの保持溝２２）に相当する手段を設けていないことである。その理由は、上述したように、放熱支持体１０２は対の保持突部１１１と管体１０１の内周面１０１ａとによって保持されるからである。
このため、放熱支持体１０２の外周面の中央部に形成されている溝１２２は、図１に示すＬＥＤランプＬの保持溝２２の機能はなく、放熱溝１２３，１２４と同様に放熱溝として機能する。放熱支持体１０２の溝１２２は、図２２に示すように、例えば断面Ｖ字形であって、放熱溝１２３，１２４と同様に放熱支持体の全長に亘って形成されている。
なお、放熱支持体１０２の溝１２２及び放熱溝１２３，１２４は、使用されるＬＥＤ１０４の種類及び基板１０３の構成によって、配線溝として利用される場合がある。
【００２１】
図１４〜図１７において、ＬＥＤランプＬａにおける管体１０１の放熱性膜１１２、この放熱性膜の設置幅Ｗａ、放熱支持体１０２の本体１０２ａ、支持溝１２１、開口１２１ａ、受け部１２５、放熱性膜１２６、基板１０３の放熱性膜１３１、口金１０５、放熱溝１５１、保護回路ダイオード１０６及び端子ピン１０７は、図１及び図２に示すＬＥＤランプＬにおける管体１の放熱性膜１２、この放熱性膜の設置幅Ｗ、放熱支持体２の本体２ａ、支持溝２１、開口２１ａ、受け部２５、放熱性膜２６、放熱性膜３１、口金５、放熱溝５１、保護回路ダイオード６、端子ピン７にそれぞれ相当している。
【００２２】
図１７に示すＬＥＤランプＬａの管体１０１の収納室１１３内において、ＬＥＤ付きの基板１０３を支持溝１２１内に支持している放熱支持体１０２は、対の保持突部１１１の押え部１１１ａと、収納室の管体の内周面１０１ａとによって挟まれた状態で保持されている。このとき、放熱支持体１０２は、上側の外周面が管体１０１の内周面１０１ａに放熱性膜１２６を介して密着されており、下側の面には押え部１１１ａの弾性力が付与されているので、安定的な位置保持が保たれている。
【００２３】
図１４及び図１５に示すＬＥＤランプＬａによれば、組み立て時に放熱支持体１０２を管体１０１の一端から他端に向けて収納室１１３内にスライドさせることによって、保持突部１１１と管体１０１の内周面１０１ａとによって保持される。放熱支持体は、管体１０１内に挿脱可能に保持可能である。また、ＬＥＤランプＬにおける放熱支持体２と基板３との関係と同様に、放熱支持体１０２では、支持溝１２１内にＬＥＤ１０４を取り付けている基板１０３を挿脱可能に支持することができる。
このため、ＬＥＤランプＬａにおける組み立て解体がＬＥＤランプＬと同様に容易となる。
【００２４】
この発明に係るＬＥＤランプの第３の実施形態について図２４を参照して説明する。
図示するＬＥＤランプＬｂは、図１７に示すＬＥＤランプＬａと比較すると、主要部分における基本構成及び作用効果が共通している。
ＬＥＤランプＬａに対してＬＥＤランプＬｂが相違する点は、放熱支持体２０２の形状のみである。すなわち、ＬＥＤランプＬｂにおける放熱支持体２０２の中央に位置している溝２２２及び放熱溝２２３，２２４の各断面形状がＬＥＤランプＬａの溝１２２及び放熱溝１２３，１２４のそれらと相違している。
ＬＥＤランプＬｂにおける放熱支持体２０２は、図２に示すＬＥＤランプＬの放熱支持体２と同一構成のものを利用している。溝２２２は放熱溝として機能する。
したがって、放熱支持体２０２は、前記ＬＥＤランプＬ及びＬＥＤランプＬａの双方に適用できる。
【００２５】
図２４において、ＬＥＤランプＬｂにおける管体２０１、保持突部２１１、押え部２１１ａ、管体の放熱性膜２１２、収納室２１３、間隙２１４、支持溝２２１、受け部２２５、放熱性膜２２６、基板２０３、基板の放熱性膜２３１、ＬＥＤ２０４及び保護回路ダイオード２０６は、図１７に示すＬＥＤランプＬａにおける管体１０１、保持突部１１１、押え部１１１ａ、管体の放熱性膜１１２、収納室１１３、間隙１１４、支持溝１２１、受け部１２５、放熱性膜１２６、基板１０３、基板の放熱性膜１３１、ＬＥＤ１０４及び保護回路ダイオード１０６にそれぞれ相当している。
【００２６】
この発明に係るＬＥＤランプの第４の実施形態について図２５〜図２７を参照して説明する。
図示するＬＥＤランプＬｃの特徴は、放熱支持体３０２及び基板３０３を保持する方法にある。
図２５及び図２６に示すＬＥＤランプＬｃにおいて、管体３０１は図１７に示すＬＥＤランプＬａの管体１０１と実質的に同一構成である。対の保持突部３１１及び押え部３１１ａは、ＬＥＤランプＬａの対の保持突部１１１及び押え部１１１ａに対応している。管体３０１の収納室３１３内には放熱支持体３０２及び基板３０３が配置されている。放熱支持体３０２はＬＥＤランプＬａの放熱支持体１０２に対応するものであるが、下面の構成が図２７に示すように平坦面となっている点で放熱支持体１０２とは相違している。また放熱支持体３０２の上側外面は円弧面となっており、管体３０１の内周面３０１ａに密着している点、中央の溝３２２と、この溝の両側に放熱溝３２３，３２４とを形成し、溝３２２も放熱溝である点で、放熱支持体１０２と共通している。
さて、管体３０１内において、収納室３１３内に配置されている放熱支持体３０２及び基板３０３は、この管体内の背部側に配置されかつ保持手段によって挿脱可能に保持されている。この保持手段は、対の保持突部３１１と管体３０１の内周面３０１ａとによって構成されている。すなわち、ＬＥＤ３０４を実装している基板３０３は、図２５に示すように下面側が対の保持突部３１１によって水平状態に支えられており、上面側は放熱支持体３０２によって押えられている。基板３０３と、基板上に重ねられた放熱支持体３０２とは、管体３０１の収納室３１３内で、対の保持突部３１１と管体の内周面３０１ａによって挟まれた状態で保持されている。
図２５において、ＬＥＤランプＬｃにおける管体３０１の押え部３１１ａ、管体の放熱性膜３１２、間隙３１４、放熱支持体３０２の放熱性膜３２６、基板３０３の放熱性膜３３１及び保護回路ダイオード３０６は、図１７に示すＬＥＤランプＬａにおける管体１０１の押え部１１１ａ、管体の放熱性膜１１２、間隙１１４、放熱支持体１０２の放熱性膜１２６、基板１０３の放熱性膜１３１及び保護回路ダイオード１０６にそれぞれ相当している。
【００２７】
ＬＥＤランプＬｃの組み立ては、まず、図２６に示すようにＬＥＤ３０４を実装している基板３０３を管体３０１の一端部開口から収納室３１３内に挿入して他端に向けてスライドする。この操作によって、基板３０３は管体３０１の収納室３１３に一次的に保持される。ついで、収納室３１３内であって、基板３０３の上側の空間内に放熱支持体３０２を差し入れることによって放熱支持体の上側外周面は管体３０１の内周面３０１ａに密着され、この結果、基板３０３は放熱支持体と共に管体３０１内に対の保持突部３１１と管体の内周面３０１ａによって確実に保持される（図２５）。
ＬＥＤランプＬｃにおいても、放熱支持体３０２及び基板３０３のスライド操作によって簡易な組み立てや解体が可能となる。
基板３０３の図２５の左右の幅の大きさは、基板が保持突部３１１上に支えられるものである限り、問わない。基板３０３の幅をその両端部が管体３０１の内周面３０１ａに押圧的に接触することができるような大きさに設定することによって、基板の上記一次保持が確実なものとなる。
また、放熱支持体３０２は基板３０３を下側で支持するので、基板の保持が安定する利点がある。
【００２８】
図２６に示すように、ＬＥＤランプＬｃの基板３０３の幅方向（左右方向）の両端部を管体３０１の内周面に押圧可能となるようにその幅を設計しておくことによって、放熱支持体３０２を介在させることなく、基板を管体の収納室３１３に保持することができる。この例では、放熱支持体３０２を用いない分だけ、放熱効果が図２５に示す例と比較して低下することになる。
【００２９】
図２５に示すＬＥＤランプＬａにおける管体３０１の内周面３０１ａ、保持突部３１１の押え部３１１ａ、収納室３１３、間隙３１４、基板３０３、ＬＥＤ３０４及び保護回路ダイオード３０６は、図１５に示すＬＥＤランプＬａにおける管体１０１の内周面１０１ａ、保持突部１１１の押え部１１１ａ、収納室１１３、間隙１１４、基板１０３、ＬＥＤ１０４及び保護回路ダイオード１０６にそれぞれ相当している。
【００３０】
この発明に係るＬＥＤランプの第５の実施形態について図２８〜図３０を参照して説明する。
図示するＬＥＤランプＬｄは図２５に示すＬＥＤランプＬｃと比較すると、基本構成及び作用効果が共通している。
ＬＥＤランプＬｃに対してＬＥＤランプＬｄが相違する点は、放熱支持体を備えていないことである。すなわち、
基板４０３は、ＬＥＤランプＬｃの基板３０３と同様に、その幅方向（左右方向）の両端部を管体４０１の内周面４０１ａに押圧可能となるようにその幅が設計されている。基板４０３は、下面両側で管体４０１の保持突部４１１に支えられ、両端部が管体の内周面４０１ａに押圧されることによって、収納室４１３内に水平状態に保持される。
ＬＥＤランプＬｄの基板４０３に実装されているＬＥＤ４０４は砲弾型のものが使用されている。
図２８〜図３０において、符号４０５は口金を、符号４５１は放熱溝を、符号４０６は保護回路ダイオードを、符合４０７は端子ピンを、符合４１４は間隙をそれぞれ示す。
ＬＥＤランプＬｄの組み立ては、図２９に示すようにＬＥＤ４０４を実装している基板４０３を管体４０１の一端部開口から収納室４１３内に挿入して他端に向けてスライドする。この操作によって、基板４０３は保持突部４１１に支えられると同時に、基板の両端部は管体の内周面４０１ａに強く接触されるから、この内周面によっても保持されることになる。
【００３１】
放熱支持体２，１０２，２０２の支持溝２１，１２１，２２１内にＬＥＤ付きの基板３，１０３，２０３を挿入した状態において、図１、図１５及び図２４に示すように基板の裏面が支持溝内面に密着するのが良い。もちろん、基板３，１０３，２０３の裏面の構成によっては、この裏面を必ずしも支持溝２１，１２１，２２１内面に密着することを要しない。また、溝１２２，２２２，３２２及び放熱溝２３，２４，１２３，１２４，２２３，２２４，３２３，３２４は、放熱支持体２，１０２，２０２，３０２に必要に応じて設けられるものであり、また上記溝及び上記放熱溝を設ける場合には、その数や断面形状は図示の例に限定されない。
上述した例では、管体１，１０１，２０１，３０１，４０１である乳白色のプラスチックパイプ内に白色光のＬＥＤ４，１０４，２０４，３０４，４０４が配置されている。管体１，１０１，２０１，３０１，４０１の表面にＬＥＤ４，１０４，２０４，３０４，４０４の影が表れることを極力制限する観点から、これらの管体における色彩は、ＬＥＤの発光色と同系色（同一色を含む。）にすることが望ましい。同様の観点から、管体１，１０１，２０１，３０１，４０１は、透光性を有すると共に、非透明（不透明、半透明）部材であるのが良いが、透明であっても良い。もちろん、管体１，１０１，２０１，３０１，４０１の材質やＬＥＤ４，１０４，２０４，３０４，４０４の発光色は上例に限定されない。
管体１，１０１，２０１，３０１，４０１の各保持突部１１，１１１，２１１，３１１，４１１は、いずれも管体に全長に亘って設けられているが、適宜間隔を置いて設けても良い。各保持突部１１１，２１１，３１１の先端部に、上方に屈曲した押え部１１１ａ，２１１ａ，３１１ａを設けることによって放熱支持体１０２，２０２，３０２に弾性力を付与するので安定的な保持に役立つ。もちろん、放熱支持体１０２，２０２，３０２の形状に関しては、先端部を屈曲させることなく、図２９に示す保持突部４１１のように水平にする構成であっても良い。
ＬＥＤ４，１０４，２０４，３０４，４０４は、各図示の例によれば、形状及び大きさがいずれも同一のものを用いているが、これらの例に限定されない。
口金に関して、図１２、図１４及び図２８に示す口金５，１０５，４０５のように外周面に放熱溝５１，１５１，４５１を設けているが、必ずしも、これらの口金の外周に放熱部を設けることを要しない。また、放熱部は、図示の例では口金５，１０５，４０５の外周全周に形成している放熱溝で構成されているが、この例に限られない。放熱部は、例えば連続することなく、適宜間隔を置いて形成している溝であっても良く、また凹部であっても良い。
【符号の説明】
【００３２】
Ｌ，Ｌａ，Ｌｂ，Ｌｃ                        ＬＥＤランプ
Ｗ，Ｗａ                                    放熱性膜の設置幅
１，１０１，２０１，３０１                  管体
１ａ，１０１ａ，３０１ａ                    内周面
１１，１１１，２１１，３１１                保持突部（保持手段）
１１ａ                                      係止部
１１３，２１３，３１３                      収納室
１２，１１２，２１２，３１２                放熱性膜
１２２，２２２，３２２                      溝
２，１０２，２０２，３０２                  放熱支持体
２１，１２１，２２１                        支持溝
２１ａ，１２１ａ                            開口
２２                                        保持溝（保持手段）
２２ａ                                      係合部
２３，１２３，２２３，３２３                放熱溝
２４，１２４，２２４，３２４                放熱溝
２５，１２５，２２５                        受け部
２６，１２６，２２６，３２６                放熱性膜
３，１０３，２０３，３０３                  ＬＥＤ付きの基板
３１，１３１，２３１，３３１                放熱性膜
４，１０４，２０４，３０４                  ＬＥＤ（発光ダイオード）
５，１０５                                  口金
５１，１５１                                放熱溝
【図１】
2010198927.tif 000003
【図２】
2010198927.tif 000004
【図３】
2010198927.tif 000005
【図４】
2010198927.tif 000006
【図５】
2010198927.tif 000007
【図６】
2010198927.tif 000008
【図７】
2010198927.tif 000009
【図８】
2010198927.tif 000010
【図９】
2010198927.tif 000011
【図１０】
2010198927.tif 000012
【図１１】
2010198927.tif 000013
【図１２】
2010198927.tif 000014
【図１３】
2010198927.tif 000015
【図１４】
2010198927.tif 000016
【図１５】
2010198927.tif 000017
【図１６】
2010198927.tif 000018
【図１７】
2010198927.tif 000019
【図１８】
2010198927.tif 000020
【図１９】
2010198927.tif 000021
【図２０】
2010198927.tif 000022
【図２１】
2010198927.tif 000023
【図２２】
2010198927.tif 000024
【図２３】
2010198927.tif 000025
【図２４】
2010198927.tif 000026
【図２５】
2010198927.tif 000027
【図２６】
2010198927.tif 000028
【図２７】
2010198927.tif 000029
【図２８】
2010198927.tif 000030
【図２９】
2010198927.tif 000031
【図３０】
2010198927.tif 000032